(57)【要約】【課題】複数箇所で風量の切替操作を行える常時換気設備制御用スイッチを提供する。【解決手段】操作部が押操作される間だけ操作信号を出力する押釦スイッチＳＷ１と、両端間に外部の増設スイッチと電源とが直列接続される一対の増設端子と、両増設端子間に電流が流れると検出信号を発生する検出回路部と、押釦スイッチＳＷ１からの操作信号及び検出回路部からの検出信号に基づいて換気扇を所望の制御状態で動作させる制御ＩＣ１００とを備え、制御ＩＣ１００は、押釦スイッチＳＷ１から時間幅が所定時間よりも短い操作信号が入力される毎に換気扇の風量を強又は弱に交互に切り替え、時間幅が所定時間以上の操作信号が入力されると換気扇を停止させ、換気扇の停止中に時間幅が所定時間よりも短い操作信号が入力されると換気扇を弱風運転させ、且つ、検出回路部から検出信号が入力される間は押釦スイッチＳＷ１の操作信号に関係なく換気扇を強風運転させる。【選択図】図１
2005172404.tif 000002
【特許請求の範囲】
【請求項１】
風量を強弱２段階に切り替える機能を有して室内の空気を定常的に換気する常時換気設備のオン／オフおよび風量切替を行う常時換気設備制御用スイッチであって、
操作部を押操作すると押操作している間だけ操作信号を出力する操作スイッチ部と、外部の増設スイッチのオン／オフを検出し、オン状態であれば検出信号を発生する検出回路部と、操作スイッチ部からの操作信号及び検出回路部からの検出信号に基づいて常時換気設備を所望の制御状態で動作させる制御部とを備え、
当該制御部は、操作スイッチ部から時間幅が所定時間よりも短い操作信号が入力される毎に常時換気設備の風量を強又は弱に反転させるとともに、時間幅が所定時間以上の操作信号が入力されると常時換気設備を停止させ、さらに常時換気設備が停止している状態で時間幅が所定時間よりも短い操作信号が入力されると常時換気設備を風量が弱で動作させ、且つ、検出回路部から検出信号が入力される間は操作スイッチ部からの操作信号に関係なく常時換気設備の風量を強に切り替えることを特徴とする常時換気設備制御用スイッチ。
【請求項２】
上記一対の増設端子間に増設スイッチと電源の直列回路が接続され、上記検出回路部は一対の増設端子間に流れる電流の有無から増設スイッチのオン／オフを検出する回路からなり、増設スイッチのオン時に一対の増設端子間に流れる電流を１０ｍＡ以上且つ２０ｍＡ以下に設定する限流手段を設けたことを特徴とする請求項１記載の常時換気設備制御用スイッチ。
【請求項３】
前記制御部は、操作スイッチ部からの操作信号に基づいて制御状態を決定する第１の制御演算ブロックと、検出回路部からの検出信号に基づいて制御状態を決定する第２の制御演算ブロックとを有し、第１の制御演算ブロックは、操作スイッチ部から時間幅が所定時間よりも短い操作信号が入力される毎に常時換気設備の風量を強又は弱に交互に切り替えるとともに、時間幅が所定時間以上の操作信号が入力されると常時換気設備を停止させ、さらに常時換気設備が停止している状態で時間幅が所定時間よりも短い操作信号が入力されると常時換気設備を弱風運転させるように制御状態を決定し、第２の制御演算ブロックは、検出回路部から検出信号が入力される間は常時換気設備を強風運転させるように制御状態を決定しており、第２の制御演算ブロックで強風運転に決定された場合は換気扇を風量が強で動作させるとともに、第２の制御演算ブロックで強風運転以外に決定された場合は第１の制御演算ブロックで決定された制御状態で換気扇を動作させ、第１の制御演算ブロックにより決定された制御状態を表示するための表示灯を設けたことを特徴とする請求項１記載の常時換気設備制御用スイッチ。
【請求項４】
検出回路部からの検出信号の入力が停止した時点より所定の遅れ動作時間を限時する限時手段を設け、前記制御部は、検出信号の入力が停止した後も限時手段の限時動作が終了するまでの間は常時換気設備の風量を強とするように制御状態を決定することを特徴とする請求項１記載の常時換気設備制御用スイッチ。
【請求項５】
前記限時手段によるタイマ制御を有効とするか無効とするかを選択する選択手段を設けたことを特徴とする請求項４記載の常時換気設備制御用スイッチ。
【請求項６】
前記遅れ動作時間を複数の設定値の中から択一的に選択する時間設定手段を設けたことを特徴とする請求項４記載の常時換気設備制御用スイッチ。
【発明の詳細な説明】
【技術分野】
【０００１】
本発明は、浴室やトイレなどの換気のために用いられる換気設備を常時微少風量で動作させて２４時間換気を行う常時換気設備の制御用スイッチに関するものである。
【背景技術】
【０００２】
従来より、浴室やトイレなどに設置される換気扇のオン／オフを制御するための換気扇制御用スイッチが提供されている（例えば特許文献１参照）。
【０００３】
ところで、シックハウス症候群への対策として、居室内のホルムアルデヒドの濃度を所定の指針値以下とするために、近年、室内の空気を常時換気する常時換気システムの設置が建築基準法で義務づけられたのであるが、２４時間微少風量で換気を行う常時換気設備として、例えばトイレに設置された換気扇を利用し、この換気扇の風量を弱にして常時運転させるとともに、トイレの使用中と使用後の一定期間は風量を強にして運転させる換気扇制御用スイッチも提供されている。
【特許文献１】特開２００１−１２６５９９号公報
【発明の開示】
【発明が解決しようとする課題】
【０００４】
上述した換気扇制御用スイッチでは、１箇所に設置したスイッチで換気扇を入切する操作と、風量の強弱を切り替える操作を行っているが、常時換気に対応した遅れ制御を行うスイッチで、複数箇所からの風量の切替操作を行えるものがなく、使い勝手が悪いという問題があった。
【０００５】
本発明は上記問題点に鑑みて為されたものであり、その目的とするところは、複数の箇所から風量の切替操作を行える常時換気設備制御用スイッチを提供することにある。
【課題を解決するための手段】
【０００６】
上記目的を達成するために、請求項１の発明は、風量を強弱２段階に切り替える機能を有して室内の空気を定常的に換気する常時換気設備のオン／オフおよび風量切替を行う常時換気設備制御用スイッチであって、操作部を押操作すると押操作している間だけ操作信号を出力する操作スイッチ部と、外部の増設スイッチのオン／オフを検出し、オン状態であれば検出信号を発生する検出回路部と、操作スイッチ部からの操作信号及び検出回路部からの検出信号に基づいて常時換気設備を所望の制御状態で動作させる制御部とを備え、当該制御部は、操作スイッチ部から時間幅が所定時間よりも短い操作信号が入力される毎に常時換気設備の風量を強又は弱に反転させるとともに、時間幅が所定時間以上の操作信号が入力されると常時換気設備を停止させ、さらに常時換気設備が停止している状態で時間幅が所定時間よりも短い操作信号が入力されると常時換気設備を風量が弱で動作させ、且つ、検出回路部から検出信号が入力される間は操作スイッチ部からの操作信号に関係なく常時換気設備の風量を強に切り替えることを特徴とする。
【０００７】
請求項２の発明は、請求項１の発明において、上記一対の増設端子間に増設スイッチと電源の直列回路が接続され、上記検出回路部は一対の増設端子間に流れる電流の有無から増設スイッチのオン／オフを検出する回路からなり、増設スイッチのオン時に一対の増設端子間に流れる電流を１０ｍＡ以上且つ２０ｍＡ以下に設定する限流手段を設けたことを特徴とする。
【０００８】
請求項３の発明は、請求項１の発明において、制御部は、操作スイッチ部からの操作信号に基づいて制御状態を決定する第１の制御演算ブロックと、検出回路部からの検出信号に基づいて制御状態を決定する第２の制御演算ブロックとを有し、第１の制御演算ブロックは、操作スイッチ部から時間幅が所定時間よりも短い操作信号が入力される毎に常時換気設備の風量を強又は弱に交互に切り替えるとともに、時間幅が所定時間以上の操作信号が入力されると常時換気設備を停止させ、さらに常時換気設備が停止している状態で時間幅が所定時間よりも短い操作信号が入力されると常時換気設備を弱風運転させるように制御状態を決定し、第２の制御演算ブロックは、検出回路部から検出信号が入力される間は常時換気設備を強風運転させるように制御状態を決定しており、第２の制御演算ブロックで強風運転に決定された場合は換気扇を風量が強で動作させるとともに、第２の制御演算ブロックで強風運転以外に決定された場合は第１の制御演算ブロックで決定された制御状態で換気扇を動作させ、第１の制御演算ブロックにより決定された制御状態を表示するための表示灯を設けたことを特徴とする。
【０００９】
請求項４の発明は、請求項１の発明において、検出回路部からの検出信号の入力が停止した時点より所定の遅れ動作時間を限時する限時手段を設け、制御部は、検出信号の入力が停止した後も限時手段の限時動作が終了するまでの間は常時換気設備の風量を強とするように制御状態を決定することを特徴とする。
【００１０】
請求項５の発明では、請求項４の発明において、限時手段によるタイマ制御を有効とするか無効とするかを選択する選択手段を設けたことを特徴とする。
【００１１】
請求項６の発明では、請求項４の発明において、遅れ動作時間を複数の設定値の中から択一的に選択する時間設定手段を設けたことを特徴とする。
【発明の効果】
【００１２】
以上説明したように、請求項１の発明によれば、１つの操作部の押操作に応じて常時換気設備をオン／オフする操作と、風量を強弱に切り替える切替操作とを行うことができ、さらに検出回路部からの検出信号と操作スイッチ部からの操作信号に基づいて常時換気設備の風量切替を行っているので、外部の増設スイッチを用いて風量を強に切り替える操作が行えるから、複数の場所で風量の切替操作が可能となり、使い勝手が向上するという効果がある。
【００１３】
請求項２の発明によれば、外部の増設スイッチのオン時に一対の増設端子間に流れる電流は限流手段によって１０ｍＡ以上且つ２０ｍＡ以下に設定されているので、既製の低容量型のパイロットランプ付きスイッチを増設スイッチとして用いることができ、増設スイッチのオン時には増設スイッチの内蔵するパイロットランプが点灯し、増設スイッチのオフ時にはパイロットランプが消灯するので、パイロットランプの点灯／消灯から増設スイッチの操作状態を容易に判別でき、使い勝手が向上する。
【００１４】
請求項３の発明によれば、第１の制御演算ブロックは操作スイッチ部からの操作信号に基づいて常時換気設備の制御状態を決定し、第２の制御演算ブロックは検出回路部からの検出信号に基づいて常時換気設備の制御状態を決定しており、制御部は、第２の制御演算ブロックで強風運転状態に決定された場合は常時換気設備を強風運転させ、強風運転状態以外に決定された場合は第１の制御演算ブロックで決定された制御状態に従って常時換気設備を動作させているので、請求項１の発明と同様、１つの操作部の押操作に応じて常時換気設備をオン／オフする操作と、風量を強弱に切り替える切替操作を行えるとともに、外部の増設スイッチを用いて風量を強に切り替える操作を行うことができる。そのうえ第１の制御演算ブロックでは、スイッチ自体に設けられた操作スイッチ部の操作のみに基づいて常時換気設備の制御状態を決定し、その結果を表示灯で点灯表示しているので、外部の増設スイッチによる操作とは無関係にスイッチ自体の操作で決定される制御状態を求めておくことができ、表示灯の表示からその結果を容易に判別できる。
【００１５】
請求項４の発明によれば、増設スイッチをオンすると風量が強になり、その後増設スイッチをオフしてから限時手段による遅れ動作時間の限時動作が終了するまでの間、風量が強の状態が保持されるので、風量が強の期間を遅れ動作時間だけ延長することができる。したがって増設スイッチがトイレに設置された場合にはトイレ使用時の臭気を速やかに排出することができ、さらに手動操作で風量を強から弱に切り替える場合には操作をし忘れて風量が強のままになる可能性もあるが、限時手段による遅れ動作時間の限時動作が完了した時点で風量を弱に戻すので、風量が強のままとなるのを防止できる。
【００１６】
請求項５の発明によれば、選択手段を用いて限時手段によるタイマ制御を有効にするか否かを選択できるので、増設スイッチの設置場所に応じて制御動作を変更することができ、使い勝手が向上する。
【００１７】
請求項６の発明によれば、時間設定手段を用いて遅れ動作時間を所望の設定値に設定することができる。
【発明を実施するための最良の形態】
【００１８】
以下本発明の実施の形態を図面に基づいて説明する。先ず本実施形態の常時換気設備制御用スイッチＡの回路構成を図１及び図２に基づいて説明する。なお図１は制御ブロックの回路図、図２は負荷開閉制御ブロックおよび電源回路ブロックの回路図である。
【００１９】
本回路では、第１の負荷接続端子（以下端子と略称す）Ｔａと第２の負荷接続端子（以下端子と略称す）Ｔｂとの間に、ＺＮＲのようなサージ吸収素子Ｚ１、フィルタ用のコンデンサＣ１を夫々接続するとともに、フィルタ用のインダクタＬ１を介してトライアックＴＲＣ１を接続し、トライアックＴＲＣ１のＴ２端子とＴ１端子との間には、ダイオードブリッジからなる整流器ＤＢ１を介して抵抗Ｒ１及びコンデンサＣ２の並列回路を接続してある。また端子Ｔａと第３の負荷接続端子（以下端子と略称す）Ｔｃとの間にも、ＺＮＲのようなサージ吸収素子Ｚ２、フィルタ用のコンデンサＣ３を夫々接続するとともに、上記のインダクタＬ１を介してトライアックＴＲＣ２を接続し、トライアックＴＲＣ２のＴ２端子とＴ１端子との間には、ダイオードブリッジからなる整流器ＤＢ２を介して抵抗Ｒ２及びコンデンサＣ４の並列回路が接続されている。ここで、抵抗Ｒ１及びコンデンサＣ２の並列回路はトライアックＴＲＣ１のゲートＧとＴ１端子との間に、抵抗Ｒ２及びコンデンサＣ４の並列回路はトライアックＴＲＣ２のゲートＧとＴ１端子との間にそれぞれ接続してあり、トライアックＴＲＣ１，ＴＲＣ２のターンオン／ターンオフは制御部としての制御ＩＣ１００によって制御されている。
【００２０】
また本回路では、増設スイッチ接続端子（以下端子と略称す）Ｔｄと端子Ｔａとの間にダイオードブリッジからなる整流器ＤＢ３を介して限流手段たる抵抗Ｒ１０を接続してある。整流器ＤＢ３の直流出力端子間にはフォトカプラＰＣの入力側の発光ダイオードを接続してある。またフォトカプラＰＣの出力側のフォトトランジスタは、コレクタが電源電圧にプルアップされるとともに、制御ＩＣ１００の増設入力端子Ｐ５に接続され、エミッタが回路のグランドに接続されている。ここに端子Ｔａ，Ｔｄにより一対の増設端子が構成される。
【００２１】
ところで、本実施形態の常時換気設備制御用スイッチＡは、風量を強弱２段階に切り替える機能を有して室内の空気を定常的に換気する常時換気設備のオン／オフおよび風量切替を行うものであり、常時換気設備としては、例えば共通端子と強入力端子と弱入力端子とを有し、共通端子と強入力端子との間に電源が接続されると強風運転（風量が強の状態で動作）、共通端子と弱入力端子との間に電源が接続されると弱風運転（風量が弱の状態で動作）するような強弱タップ切替型の換気扇が用いられる。図３（ａ）は常時換気設備として強弱タップ切替型の換気扇ＲＬを用いる場合の配線図であり、換気扇ＲＬの共通端子と端子Ｔａとの間に交流電源ＡＣを接続するとともに、換気扇ＲＬの弱入力端子を端子Ｔｂに、強入力端子を端子Ｔｃにそれぞれ接続してある。また端子Ｔａ，Ｔｄ間には交流電源ＡＣを介してＢ接点タイプの増設スイッチＢが接続されている。ここで強弱タップ切替型の場合にはトライアックＴＲＣ１がターンオン、トライアックＴＲＣ２がターンオフすると、換気扇ＲＬの共通端子と弱入力端子との間に交流電源ＡＣが接続されて換気扇ＲＬは弱風運転し、トライアックＴＲＣ１がターンオフ、トライアックＴＲＣ２がターンオンすると、換気扇ＲＬの共通端子と強入力端子との間に交流電源ＡＣが接続されて換気扇ＲＬは強風運転する。
【００２２】
整流器ＤＢ１の直流出力端子間には抵抗Ｒ３及びツェナダイオードＺＤ１からなる電源回路１０１が接続されており、ツェナダイオードＺＤ１により得られた直流電圧は、更に３端子レギュレータＩＣ１０２により所定電圧に降圧安定化され、この安定化された電圧Ｖ２は制御ＩＣ１００等の動作電源電圧として供される。
【００２３】
また整流器ＤＢ１の直流出力端子間には、トライアックＴＲＣ１をターンオンさせるためのサイリスタＳＣＲ１が接続され、サイリスタＳＣＲ１のゲートとカソードとの間には抵抗Ｒ４及びコンデンサＣ５の並列回路が接続される。サイリスタＳＣＲ１のアノードには、べース・エミッタ間に抵抗Ｒ５が接続されたＰＮＰ型トランジスタＱ１のエミッタが接続されており、トランジスタＱ１のコレクタは、ツェナダイオードＺＤ２を介してサイリスタＳＣＲ１のゲートに接続されるとともに、ダイオードＤ１を介して３端子レギュレータＩＣ１０２の電圧入力端子に接続される。また、トランジスタＱ１のベースは抵抗Ｒ６を介してＮＰＮ型トランジスタＱ２のコレクタに接続される。トランジスタＱ２のエミッタは回路のグランドに接続されており、トランジスタＱ２のベースはＮＰＮ型トランジスタＱ３のコレクタに接続されている。またトランジスタＱ３のエミッタは回路のグランドに接続され、トランジスタＱ３のベースは制御ＩＣ１００の制御出力端子Ｐ１に接続されている。
【００２４】
また整流器ＤＢ２の直流出力端子間には、トライアックＴＲＣ２をターンオンさせるためのサイリスタＳＣＲ２が接続され、サイリスタＳＣＲ２のゲートとカソードとの間には抵抗Ｒ７及びコンデンサＣ６の並列回路が接続される。サイリスタＳＣＲ２のアノードには、べース・エミッタ間に抵抗Ｒ８が接続されたＰＮＰ型トランジスタＱ４のエミッタが接続されており、トランジスタＱ４のコレクタは、ツェナダイオードＺＤ３を介してサイリスタＳＣＲ２のゲートに接続されるとともに、ダイオードＤ２を介して３端子レギュレータＩＣ１０２の電圧入力端子に接続される。また、トランジスタＱ４のベースは抵抗Ｒ９を介してＮＰＮ型トランジスタＱ５のコレクタに接続される。トランジスタＱ５のエミッタは回路のグランドに接続されており、トランジスタＱ５のベースはＮＰＮ型トランジスタＱ６のコレクタに接続されている。またトランジスタＱ６のエミッタは回路のグランドに接続され、トランジスタＱ６のベースは制御ＩＣ１００の制御出力端子Ｐ２に接続されている。
【００２５】
ここで、トランジスタＱ３（Ｑ６）のコレクタは電源電圧にプルアップされており、制御ＩＣ１００の制御出力端子Ｐ１（Ｐ２）の信号レベルがハイレベルになると、トランジスタＱ３（Ｑ６）がオンし、トランジスタＱ２（Ｑ５）がオフする。トランジスタＱ２（Ｑ５）がオフすると、トランジスタＱ１（Ｑ４）がオフするので、３端子レギュレータＩＣ１０２にはツェナダイオードＺＤ１により定電圧化された電源が供給される。この時、トライアックＴＲＣ１（ＴＲＣ２）のゲートにはターンオンするのに必要なだけの電流が流れないので、トライアックＴＲＣ１（ＴＲＣ２）はオフしている。
【００２６】
一方、制御ＩＣ１００の制御出力端子Ｐ１（Ｐ２）の信号レベルがローレベルになると、トランジスタＱ３（Ｑ６）がオフし、トランジスタＱ２（Ｑ５）がオンする。トランジスタＱ２（Ｑ５）がオンするとトランジスタＱ１（Ｑ４）がオンし、整流器ＤＢ１（ＤＢ２）からトランジスタＱ１（Ｑ４）及びダイオードＤ１（Ｄ２）を介して３端子レギュレータＩＣ１０２に電源が供給され、３端子レギュレータＩＣ１０２が制御ＩＣ１００等の動作電源を生成する。そして、ツェナダイオードＺＤ２（ＺＤ３）のカソードの電位がブレーク・ダウン電圧よりも高くなると、ツェナダイオードＺＤ２（ＺＤ３）に逆方向電流が流れ、ツェナダイオードＺＤ２（ＺＤ３）を介してサイリスタＳＣＲ１（ＳＣＲ２）のゲートに電流が流れて、サイリスタＳＣＲ１（ＳＣＲ２）が導通するので、交流電源ＡＣの半サイクル毎にトライアックＴＲＣ１（ＴＲＣ２）のゲートにターンオンするのに必要な電流が流れ、トライアックＴＲＣ１（ＴＲＣ２）がターンオンする。
【００２７】
また、図３（ａ）に示すように端子Ｔｄ，Ｔａ間には増設スイッチＢと交流電源ＡＣとの直列回路が接続されており、増設スイッチＢのオン時には整流器ＤＢ３及び抵抗Ｒ１０を介してフォトカプラＰＣの入力側の発光ダイオードに電流が流れて、フォトトランジスタがオンになり、増設入力端子Ｐ５の信号レベルはローになる。一方、増設スイッチＢのオフ時にはフォトカプラＰＣの入力側の発光ダイオードに電流が流れなくなって、フォトトランジスタはオフになり、出力の信号レベルはハイになる。ここに、抵抗Ｒ１０と整流器ＤＢ３とフォトカプラＰＣとで、端子Ｔａ，Ｔｂ間に流れる電流の有無を検出し、電流が流れるとローレベルの検出信号を発生する検出回路１０５が構成される。なお増設スイッチＢのオン時に端子Ｔａ，Ｔｂ間に流れる電流は抵抗Ｒ１０によって限流されており、オン時の電流が１０ｍＡ以上且つ２０ｍＡ以下となるように抵抗Ｒ１０の抵抗値を設定するのが好ましい。すなわちオン時の電流を上記の範囲に制限することで、増設スイッチＢに既製の低容量（例えば１〜５０Ｗ）用のパイロットランプ付きスイッチを用いることができ、増設スイッチＢのオン時にパイロットランプを点灯、オフ時に消灯させることで、換気扇の動作状態を容易に判別でき、スイッチの使い勝手が向上する。
【００２８】
一方、制御ＩＣ１００の操作入力端子Ｐ１０は操作スイッチ部としての押釦スイッチＳＷ１を介してグランドに接続されるようになっており、押釦スイッチＳＷ１が押し操作されるとローレベルに立ち下がる。また上述のように制御ＩＣ１００の増設入力端子Ｐ５には検出回路１０５の検出信号が入力されており、制御ＩＣ１００では、押釦スイッチＳＷ１からの操作信号と検出回路１０５からの検出信号とに基づいて、換気扇ＲＬを入／切する制御と風量を強弱２段階に切り替える制御とを行っている。
【００２９】
また制御ＩＣ１００は、後述の強動作継続時間を設定するために例えば４つの時間設定端子Ｐ１１〜Ｐ１４を備えており、時間設定端子Ｐ１１〜Ｐ１４の信号レベルに応じて強動作継続時間が切り換えられる。すなわち、４ビットのロータリスイッチからなる切替スイッチＳＷ２の切替操作によって、時間設定端子Ｐ１１〜Ｐ１４の信号レベルの組み合わせが１６通りに変化し、強動作継続時間が０〜６時間の間で１６通りに設定されるのである。なお切替スイッチＳＷ２により強動作継続時間を０に設定した場合には強動作タイマによるタイマ制御を無効にするように設定される。また強動作継続時間の設定値として、トイレ用途に適した比較的短い時間（数十秒〜数分程度）や浴室用途に適した比較的長い時間（数十分〜数時間程度）が設定されているので、トイレ用途或いは浴室用途を選択した場合にはそれぞれの用途に適した強動作継続時間を選択することができる。
【００３０】
さらに制御ＩＣ１００は、換気扇の使用用途（浴室用途、トイレ用途）に応じた動作モードを設定するために例えば２つの動作切換端子Ｐ１５，Ｐ１６を備えている。これらの端子Ｐ１５，Ｐ１６は２ポジションのスライドスイッチよりなる切替スイッチＳＷ３を介してグランドに接続されるようになっており、切替スイッチＳＷ３の切替操作に応じて端子Ｐ１５，Ｐ１６の信号レベルが変化することで、動作モードが浴室用途に適した動作モード（入浴中は弱風運転又は一時停止させ、入浴後に一定期間強風運転させた後、弱風運転に戻すモード）、又は、トイレ用途に適した動作モード（トイレの使用中は強風運転させ、使用後の一定期間強風運転を継続した後、弱風運転に戻すモード）の何れかに設定される。
【００３１】
また更に制御ＩＣ１００は、増設スイッチＢをオンからオフに切り替えてから、所定の遅れ動作時間が経過するまでの間は強風運転を継続するタイマ制御を有効にするか否かの選択を行うために例えば２つのタイマ設定端子Ｐ１７，Ｐ１８を備えている。これらの端子Ｐ１７，Ｐ１８は２ポジションタイプのスライドスイッチからなる切替スイッチＳＷ４（選択手段）を介してグランドに接続されるようになっており、切替スイッチＳＷ４の切替操作に応じて端子Ｐ１７，Ｐ１８の信号レベルが変化することで、遅れ限時動作を有効にするか又は無効にするかの切り替えが行われる。
【００３２】
また制御ＩＣ１００の点灯出力端子Ｐ３，Ｐ４には、それぞれ、強風運転表示のための赤色の発光ダイオードＬＤ１と、弱風運転表示のための橙色の発光ダイオードＬＤ２とが接続され、制御ＩＣ１００が点灯出力端子Ｐ３，Ｐ４をローレベルに設定することで、表示灯としての発光ダイオードＬＤ１，ＬＤ２に電流が流れて発光する。ここで制御ＩＣ１００は、強風運転中に赤色の発光ダイオードＬＤ１を連続点灯させ、弱風運転中に橙色の発光ダイオードＬＤ２を連続点灯させており、表示灯の色を異ならせることで、強風運転中か弱風運転中かを容易に確認できる。また制御ＩＣ１００は、強タイマ制御により強風運転させている間は赤色の発光ダイオードＬＤ１を点滅させているので、発光ダイオードＬＤ１が連続点灯しているか、或いは点滅しているかでタイマ制御中か連続運転中（タイマ制御時以外の運転状態）かを容易に確認できる。
【００３３】
尚、図１中の１０３は電源投入時に制御ＩＣ１００をリセットするためのリセット回路、１０４は制御ＩＣ１００の基準クロック発生回路である。
【００３４】
次にこの常時換気設備制御用スイッチＡの構造を図８及び図９に基づいて説明する。常時換気設備制御用スイッチの器体１０は直方体状であって、前面開口した合成樹脂製のボディ１１と、ボディ１１の前面側に結合される後面開口した合成樹脂性のカバー１２とにより形成されている。すなわち、カバー１２の後端縁からは後方に向かって組立片１２ａが延設され、組立片１２ａに設けた組立孔１２ｂがボディ１１の上下両面に形成してある組立突起１１ａに係合することでボディ１１とカバー１２とが結合される。
【００３５】
器体１０の左右方向の寸法は、埋込配線器具用の既製の取付枠（図示せず）の窓孔の左右方向（短手方向）の寸法に略等しく、器体１０の前部を形成するカバー１２の左右両側面には、取付枠の窓孔を囲む両側片に設けた器具取付孔（図示せず）に係合可能な取付爪１３が一対ずつ突設してあり、取付爪１３が取付枠の器具取付孔に係合することによって器体１０が取付枠４０に保持されるようにしてある。なおカバー１２の左右方向における一方の側壁（右側壁）には、一対の取付爪１３が突設された部位の上下両側部に後端が開放された２本の切り込み溝１４が前後方向に沿って形成されており、２本の切り込み溝１４の間の部位は厚み方向に可撓性を有する撓み片１５を形成している。カバー１２内において撓み片１５の裏面側には空所が形成され、撓み片１５をカバー１２の内側に撓ませることによって、撓み片１５に設けられた一対の取付爪１３をカバー１２の側面から弾性的に後退させることができるので、器体１０の取付枠への着脱が容易に行えるようになっている。なお撓み片１５の後端部外側面には撓み片１５の押し込みを容易にするために押突起１５ａが突設されている。
【００３６】
ボディ１１の内部には、上述した図２に示す負荷開閉制御ブロックおよび電源回路ブロックの構成部品や外部電線を接続するための複数の端子などを実装したプリント配線板からなる回路基板１６が収納されている。ここに回路基板１６に実装される個々の端子は、ボディ１１の後壁に形成された電線挿入孔（図示せず）を通して器体１０内に挿入される外部電線を導電性を有する板ばねからなる鎖錠ばねのばね力によって接続保持する速結端子で構成してある。なお複数の端子としては上述した４つの端子Ｔａ〜Ｔｃがある。
【００３７】
一方、カバー１２には図１に示す制御回路ブロックの構成部品などを実装したプリント配線板からなる回路基板１７が収納されており、この回路基板１７に実装された押釦スイッチＳＷ１の押釦や切替スイッチＳＷ２〜ＳＷ１の操作摘みは、それぞれ、カバー１２の前壁に貫設された窓孔１８ａ〜１８ｄを通してカバー１２の前面（つまり器体１０の前面）に露出する。すなわち器体１０前面の右半分において、上下方向の略中央に形成された丸孔状の窓孔１８ａを通して押釦スイッチＳＷ１の押釦１９が露出し、窓孔１８ａの上側に形成された丸孔状の窓孔１８ｂを通して切替スイッチＳＷ２の操作子に被せた摘み２０が露出し、さらに窓孔１８ａに下側に並行して設けられた角孔状の窓孔１８ｃ，１８ｄを通してスライドスイッチよりなる切替スイッチＳＷ３，ＳＷ４の操作子が露出するようになっている。またカバー１２前面の左側部には、回路基板１７に実装された２色の発光ダイオードＬＤ１，ＬＤ２に対向する部位に透孔２６が貫設されており、発光ダイオードＬＤ１，ＬＤ２の光は透孔２６を通して器体１０の外側に照射されるようになっている。なお回路基板１７と上述の回路基板１６とは図示しないリード線を介して電気的に接続されている。
【００３８】
また器体１０の前面側には、押釦スイッチＳＷ１を操作するための矩形板状の操作ハンドル３０（操作部）が器体１０の前面を覆う形で回動自在に取着されている。すなわちカバー１２の前面の左側端部には、操作ハンドル３０を枢着するために斜め前方に突出する一対の軸部２７が一体に突設してあり、一対の軸部２７を操作ハンドル３０後面の左端部に設けた軸受部（図示せず）に回動自在に嵌め込むことで、操作ハンドル３０が器体１０に対して回動自在に枢着されている。操作ハンドル３０の裏面には、カバー１２の前面に露出する押釦１９と対向する部位に押突起（図示せず）が突設されており、操作ハンドル３０の右側部を押操作すると、操作ハンドル３０が軸部２７を支点にして回動し、操作ハンドル３０の押突起によって押釦１９が押され、押釦スイッチＳＷ１がオンになる。一方、押釦ハンドル３０を押操作する力を無くすと、押釦ハンドル３０は押釦１９などの反力を受けて復帰位置に戻り、押釦１９を押す力がなくなって、押釦スイッチＳＷ１はオフになる。
【００３９】
操作ハンドル３０前面の右側部分には左端部よりも薄肉の薄肉部３１が設けられており、この薄肉部３１には、カバー１２の窓孔１８ｂに対応する部位に摘み２０を挿通させる丸孔状の窓孔３２が貫設され、カバー１２の窓孔１８ｃ，１８ｄに対応する部位には切替スイッチＳＷ３，ＳＷ４の操作子に被せた摘み２１，２２を露出させる窓孔３３，３４が貫設されている（図７（ａ）参照）。また操作ハンドル３０前面の左側部には前方に突出する突台部３５が設けられ、突台部３５の上下方向における略中央部には透光性を有する合成樹脂により形成された導光部材２３の突部２３ａが嵌め込まれる透孔３６が形成されており、器体１０内に収納された発光ダイオードＬＤ１，ＬＤ２の光は、カバー１２の透孔２６と、操作ハンドル３０に保持された導光部材２３とを通して操作ハンドル３０の前面側に出射されるようになっている。このように切替スイッチＳＷ２〜ＳＷ４の摘み２０〜２２は操作ハンドル３０の前面側に露出しているので、用途切替の操作やタイマ設定の操作をユーザが容易に行えるようになっている。
【００４０】
また操作ハンドル３０には、切替スイッチＳＷ２〜ＳＷ４の摘み２０〜２２が露出する薄肉部３１を開閉自在に覆うカバー３８が取り付けられる。カバー３８は左右方向及び上下方向の寸法が、それぞれ、薄肉部３１の左右方向及び上下方向の寸法と略同じ寸法に形成されており、カバー３８の左側部の上下両端部からは側方に向かって突出するアーム３９，３９が突設され、各々のアーム３９の先端部には突台部３５の上下両側面に設けた軸穴３７に枢支される軸３９ａが突設されている。而して操作ハンドル３０の突台部３５に設けた軸穴３７にカバー３８のアーム３９に設けた軸３９ａを枢着することで、カバー３８が操作ハンドル３０に対して回動自在に軸支される。ここでカバー３８の裏面には永久磁石２４が取着され、操作ハンドル３０の裏面には永久磁石２４と対向する部位に鉄片２５が取着されており、鉄片２５が永久磁石２４の磁力で吸着されることによって、カバー３８が閉じた状態を保持するようになっている。
【００４１】
次にこの常時換気設備制御用スイッチＡを用いてトイレに設置される換気扇の入／切の操作と風量切替の操作を２カ所で行う場合の動作について説明する。なお以下の説明では図３（ａ）に示すように強弱タップ切替型の換気扇ＲＬを接続するとともに、増設スイッチＢを接続し、さらに切替スイッチＳＷ３を用いてトイレ用途に適した動作モードを選択しているものとする。
【００４２】
ところで制御ＩＣ１００は、押釦スイッチＳＷ１からの操作信号に基づいて換気扇ＲＬの制御状態を決定する第１の制御演算ブロック１００ａと、検出回路１０５からの検出信号に基づいて換気扇ＲＬの制御状態を決定する第２の制御演算ブロック１００ｂとを具備し、両ブロック１００ａ，１００ｂで決定された制御状態に基づいて換気扇ＲＬの動作を制御するものとする。なお第１及び第２の制御演算ブロック１００ａ，１００ｂは制御ＩＣ１００の演算機能により実現される。
【００４３】
第１の制御演算ブロック１００ａは、押釦スイッチＳＷ１から時間幅が所定時間よりも短い操作信号が入力される毎に換気扇ＲＬの風量を強又は弱に交互に切り替えるとともに、時間幅が所定時間以上の操作信号が入力されると換気扇ＲＬを停止させ、さらに換気扇ＲＬが停止している状態で時間幅が所定時間よりも短い操作信号が入力されると換気扇ＲＬを風量が弱で動作させるように制御状態を決定する。一方第２の制御演算ブロック１００ｂは、検出回路１０５から検出信号が入力される間は換気扇ＲＬの風量を強とするように制御状態を決定する。そして制御ＩＣ１００は、第２の制御演算ブロック１００ｂで強風運転に決定された場合は換気扇ＲＬの風量を強に切り替えるとともに、第２の制御演算ブロック１００ｂで強風運転以外に決定された場合は第１の制御回路ブロック１００ａで決定された制御状態にしたがって換気扇ＲＬを動作させる。また制御ＩＣ１００は、第１の制御演算ブロック１００ａにより決定された制御状態にしたがって発光ダイオードＬＤ１，ＬＤ２の点灯状態を変化させており、発光ダイオードＬＤ１，ＬＤ２の点灯状態から第１の制御演算ブロック１００ａで決定された制御状態を確認できるようになっている。
【００４４】
先ず切替スイッチＳＷ２を用いて強動作タイマによるタイマ制御を無効とし、増設スイッチＢの操作がない場合の動作について説明する。常時換気設備制御用スイッチＡは常時換気設備である換気扇ＲＬの動作を制御するものであり、常時は制御ＩＣ１００が換気扇ＲＬの制御状態を弱風運転としている。すなわち制御ＩＣ１００は、制御出力端子Ｐ１の信号レベルをローレベル、制御出力端子Ｐ２の信号レベルをハイレベルとし、トライアックＴＲＣ１をターンオン、トライアックＴＲＣ２をターンオフさせることで、換気扇ＲＬの弱入力端子と共通端子との間に交流電源ＡＣを接続し、換気扇ＲＬを弱風運転させている。
【００４５】
換気扇ＲＬが弱風運転している状態で操作ハンドル３０が短時間押操作されると、制御ＩＣ１００の操作入力端子Ｐ１０が押釦スイッチＳＷ１を介してグランドに接続され、操作入力端子Ｐ１０の信号レベルが短時間（所定時間よりも短い時間）ローレベルとなるので、第１の制御演算ブロック１００ａはこの操作信号に応じて換気扇ＲＬの制御状態を強風運転に決定し、制御ＩＣ１００は第１の制御演算ブロック１００ａの決定に基づいて換気扇ＲＬの風量を強に切り替える。すなわち制御ＩＣ１００は制御出力端子Ｐ１の信号レベルをハイレベル、制御出力端子Ｐ２の信号レベルをローレベルにして、トライアックＴＲＣ１をターンオフ、トライアックＴＲＣ２をターンオンさせており、換気扇ＲＬの強入力端子と共通端子との間に交流電源ＡＣを接続して、換気扇ＲＬを強風運転させる。
【００４６】
このように操作ハンドル３０が短時間押操作されて、押釦スイッチＳＷ１から時間幅が所定時間よりも短い操作信号が制御ＩＣ１００の操作入力端子Ｐ１０に入力される毎に、第１の制御演算ブロック１００ａは換気扇ＲＬの風量を弱又は強に交互に切り替えるよう制御状態を決定しており、操作ハンドル３０を短時間押操作することで、風量の強弱を切り替える操作が行えるようになっている。
【００４７】
また操作ハンドル３０を所定時間（例えば２〜３秒）以上押し続けた場合、操作入力端子Ｐ１０の信号レベルが所定時間以上ローレベルとなるので、第１の制御演算ブロック１００ａはこの操作信号に応じて換気扇ＲＬの制御状態を停止状態に決定し、この決定にしたがって制御ＩＣ１００は換気扇ＲＬを停止させる。すなわち制御ＩＣ１００は、操作入力端子Ｐ１０の信号レベルがローレベルの状態が所定時間以上継続すると、制御出力端子Ｐ１，Ｐ２の信号レベルを共にハイレベルにして、トライアックＴＲＣ１，ＴＲＣ２をターンオフさせており、換気扇ＲＬへの電源供給を停止して、換気扇ＲＬを停止させる。
【００４８】
そして、換気扇ＲＬの停止中に操作ハンドル３０を短時間押操作すると、操作入力端子Ｐ１０の信号レベルが短時間ローレベルとなるので、第１の制御演算ブロック１００ａではこの操作信号に応じて換気扇ＲＬの制御状態を弱風運転に決定し、それに応じて制御ＩＣ１００は換気扇ＲＬを弱風運転させる。
【００４９】
次に、常時換気設備制御用スイッチＡに接続された外部の増設スイッチＢを用いて換気扇ＲＬの風量を切り替える動作について図４のタイムチャートを参照して説明する。なお切替スイッチＳＷ４の摘み２２を「なし」の位置にスライドさせて、遅れ限時動作を無効に設定しているものとする。
【００５０】
換気扇ＲＬが弱風運転中の時刻ｔ１において、増設スイッチＢがオン操作（切→入）されると、増設スイッチＢを介して端子Ｔａ，Ｔｄ間に電流が流れ、検出回路１０５から増設入力端子Ｐ５にローレベルの検出信号が入力される。この時、第２の制御演算ブロック１００ｂは、検出回路１０５の検出信号に基づいて換気扇ＲＬの制御状態を強風運転に決定し、制御ＩＣ１００が第２の制御演算ブロック１００ｂで決定された制御状態にしたがって換気扇ＲＬを強風運転させる。
【００５１】
その後時刻ｔ２において増設スイッチＢがオフ操作（入→切）されると、端子Ｔａ，Ｔｄ間に電流が流れなくなって、検出回路１０５から検出信号が出力されなくなり、第２の制御演算ブロック１００ｂは換気扇ＲＬの制御状態を弱風運転に決定するので、制御ＩＣ１００は第１の制御回路ブロック１００ａで決定された制御状態にしたがって換気扇ＲＬを弱風運転させる。
【００５２】
次に常時換気設備制御用スイッチＡによる操作と増設スイッチＢによる操作が並行して行われる場合の動作について図５のタイムチャートを参照して説明する。なお図５の説明では切替スイッチＳＷ２を用いて強動作タイマによるタイマ制御を有効とし、強動作継続時間ＤＴ１を例えば３０分に設定しているものとする。また図５中に斜線で示した期間は強動作タイマによるタイマ制御中の期間を示している。
【００５３】
時刻ｔ１０までの期間では制御ＩＣ１００が換気扇ＲＬを弱風運転させており、制御ＩＣ１００は赤色の発光ダイオードＬＤ１を消灯、橙色の発光ダイオードＬＤ２を点灯させて、弱風運転中を表示している。
【００５４】
弱風運転中の時刻ｔ１０においてトイレを使用するユーザが操作ハンドル３０を押操作すると、押釦スイッチＳＷ１から制御ＩＣ１００に操作信号が入力され、この操作信号に応じて第１の制御演算ブロック１００ａが換気扇ＲＬの制御状態を強風運転とし、制御ＩＣ１００が換気扇ＲＬを強風運転させるとともに、赤色発光ダイオードＬＤ１を点灯、橙色発光ダイオードＬＤ２を消灯させて、強風運転表示を行う。
【００５５】
次に時刻ｔ１１においてトイレの使用を終えたユーザが操作ハンドル３０を再び押操作し、押釦スイッチＳＷ１から制御ＩＣ１００に操作信号が入力されると、この操作信号に応じて第１の制御演算ブロック１００ａは強動作タイマによる強動作継続時間ＤＴ１の限時動作を開始させるとともに、赤色発光ダイオードＬＤ１を点滅させてタイマ動作中であることを表示する。そして強動作タイマによる限時動作が終了した時刻ｔ１２において、第１の制御演算ブロック１００ａは換気扇ＲＬの制御状態を弱風運転とし、制御ＩＣ１００が換気扇ＲＬを弱風運転させるとともに、発光ダイオードＬＤ１を消灯、発光ダイオードＬＤ２を点灯させる。
【００５６】
次に換気扇ＲＬが弱風運転中の時刻ｔ１３において増設スイッチＢがオン操作されると、検出回路１０５からの検出信号に応じて第２の制御回路ブロック１００ｂが換気扇の制御状態を強風運転に決定し、制御ＩＣ１００が換気扇ＲＬを強風運転させる。その後時刻ｔ１４において増設スイッチＢがオフ操作されると、第２の制御回路ブロック１００ｂは換気扇ＲＬの制御状態を弱風運転に決定するので、制御ＩＣ１００は第１の制御回路ブロック１００ａで決定された制御状態にしたがって換気扇ＲＬを弱風運転させる。
【００５７】
その後、時刻ｔ１５で操作ハンドル３０が押操作されて換気扇ＲＬの風量が弱から強に切り替えられ、さらに時刻ｔ１６で操作ハンドル３０が押操作されて、強動作タイマが限時動作を行っている間に増設スイッチＢがオン操作されると（時刻ｔ１７〜ｔ２０）、第２の制御回路ブロック１００ｂは換気扇ＲＬの制御状態を強風運転に決定するが、換気扇ＲＬはすでに強風運転しているので、換気扇ＲＬの運転状態は強風運転のままである。
【００５８】
また強動作タイマの限時動作中の時刻ｔ１８において操作ハンドル３０が押操作されると、第１の制御回路ブロック１００ａは強動作タイマによる限時動作を停止させて、換気扇ＲＬの制御状態を強風運転とし、赤色発光ダイオードＬＤ１を連続点灯させて、強風運転中であることを表示する。その後時刻ｔ１９において操作ハンドル３０が再び押操作されると、第１の制御回路ブロック１００ａは強動作タイマによる限時動作を開始させるとともに、赤色発光ダイオードＬＤ１を点滅させてタイマ制御中であることを表示し、強動作タイマの限時動作が終了した時刻ｔ２１において、制御ＩＣ１００が換気扇ＲＬの制御状態を強風運転から弱風運転に切り替えるとともに、赤色発光ダイオードＬＤ１を消灯、橙色発光ダイオードＬＤ２を点灯させて、弱風運転中を点灯表示する。
【００５９】
また時刻ｔ２２において操作ハンドル３０が所定時間ＤＴ３以上連続して押操作されると、第１の制御回路ブロック１００ａは操作ハンドル３０からの操作信号に基づいて換気扇ＲＬの制御状態を停止状態とし、制御ＩＣ１００が換気扇ＲＬを停止させるとともに、発光ダイオードＬＤ１，ＬＤ２を消灯させて、換気扇ＲＬの停止状態を表示する。
【００６０】
そして、換気扇ＲＬが停止中の時刻ｔ２３において操作ハンドル３０が押操作されると、第１の制御回路ブロック１００ａは操作ハンドル３０からの操作信号に基づいて換気扇ＲＬの制御状態を弱風運転とし、制御ＩＣ１００が換気扇ＲＬを弱風運転させるとともに、橙色発光ダイオードＬＤ２を点灯させて、弱風運転の状態を点灯表示する。
【００６１】
上述のように制御ＩＣ１００は、スイッチ自体に設けられた操作ハンドル３０の押操作に応じて換気扇ＲＬの入／切および風量の切替操作を行うとともに、外部の増設スイッチＢの操作に基づいて風量の切替制御を行っているので、トイレや浴室などに設置された常時換気設備の風量切替を複数の場所（例えば２箇所）で行うことができ、使い勝手が向上する。なお図３（ｂ）に示すように端子Ｔｄ，Ｔａ間に交流電源ＡＣを介してｃ接点タイプの増設スイッチＣ，Ｄを２個直列に接続して３路スイッチ回路を構成しても良く、常時換気設備制御用スイッチＡ以外に２個の増設スイッチＣ，Ｄを接続することで、換気扇ＲＬの風量切替を３カ所で行うことができる。
【００６２】
ところで上述の動作説明では切替スイッチＳＷ４の摘み２２を「なし」の位置にスライドさせて、遅れ限時動作を無効にした場合について説明したが、図７（ａ）に示すように切替スイッチＳＷ４の摘み２２を「あり」の位置にスライドさせて、遅れ限時動作を有効にした場合には、制御ＩＣ１００の内蔵する遅れタイマ（限時手段）が、検出回路１０５からの検出信号の入力が停止した時点より所定の遅れ限時時間の限時動作を開始しており、この遅れタイマの限時動作が終了するまでの間は換気扇ＲＬを強風運転させている。
【００６３】
図６は遅れ限時動作を有効にした場合の動作を示すタイムチャートであり、制御ＩＣ１００は、時刻ｔ４において増設スイッチＢがオンからオフに切り替えられてから、所定の遅れ動作時間ＤＴ４を限時する遅れタイマの限時動作を開始させ、その限時動作が終了するまでの間、換気扇ＲＬの強風運転を継続させ、遅れタイマによる限時動作が終了した時刻ｔ５において換気扇ＲＬを弱風運転させているので、換気扇ＲＬが強風運転する期間を遅れ限時時間だけ延長することができ、換気扇ＲＬによりトイレの換気を行う場合にはトイレ内の臭気を速やかに排出することができ、また手動で強風運転から弱風運転に切り替える場合のように操作をし忘れて強風運転のままになるのを防止できる。また切替スイッチＳＷ４を用いて遅れ限時動作を有効にするか無効にするかを選択できるので、使用状況に合わせて動作を切り替えることで使い勝手が向上する。
【００６４】
なお図７（ａ）に示した切替スイッチＳＷ４は２ポジションタイプのスライドスイッチであり、遅れ限時動作を有効にするか無効にするかのみを選択できるようになっているが、図７（ｂ）に示すように切替スイッチＳＷ４として３ポジションタイプのスライドスイッチを用い、遅れ限時動作が無効の位置と、遅れ限時動作が有効で、遅れ限時時間を３分に設定する位置と５分に設定する位置とを設けることで、遅れ限時動作の時間設定を行えるようにしても良く、使用状況に合わせて遅れ限時時間を変更できるので、使い勝手が更に向上する。なお、この場合は１つの切替スイッチＳＷ４で、遅れタイマによるタイマ制御を有効とするか無効とするかを選択する選択手段と、遅れ動作時間を複数の設定値の中から択一的に選択する時間設定手段とが構成される。
【図面の簡単な説明】
【００６５】
【図１】本実施形態の制御回路ブロックの回路図である。
【図２】同上の負荷開閉制御ブロックおよび電源回路ブロックの回路図である。
【図３】（ａ）（ｂ）は同上の使用状態を説明する配線図である。
【図４】同上の動作を説明するタイムチャートである。
【図５】同上の別の動作を説明するタイムチャートである。
【図６】同上のまた別の動作を説明するタイムチャートである。
【図７】（ａ）（ｂ）は切替スイッチの切替位置を説明する説明図である。
【図８】同上の分解斜視図である。
【図９】同上の外観斜視図である。
【符号の説明】
【００６６】
１００  制御ＩＣ
ＳＷ１  押釦スイッチ
ＳＷ２〜ＳＷ４  切替スイッチ
ＬＤ１，ＬＤ２  発光ダイオード
【図１】
2005172404.tif 000003
【図２】
2005172404.tif 000004
【図３】
2005172404.tif 000005
【図４】
2005172404.tif 000006
【図５】
2005172404.tif 000007
【図６】
2005172404.tif 000008
【図７】
2005172404.tif 000009
【図８】
2005172404.tif 000010
【図９】
2005172404.tif 000011